(57)【要約】【課題】磁化反転間隔の分布の異常原因を特定する。【解決手段】通帳取扱装置は、磁気ストライプから磁気信号を読み取る磁気ヘッドと、磁気ストライプに対して磁気ヘッドを相対移動させる搬送部と、磁気信号に基づき磁気ストライプにおける読取位置毎の磁化反転間隔の分布を検出する検出部と、磁化反転間隔の分布が正常であるか否かを判定する正常性判定部と、磁化反転間隔の分布の異常原因を特定する原因特定部とを備え、搬送部は、搬送に関する搬送関連条件と通帳における磁気ストライプを有する面側の厚さに関連する厚さ関連条件とのうちの少なくとも一方を含む読み取り条件を異ならせて搬送を少なくとも２回実行し、原因特定部は、２回分の磁気信号に基づき検出された２回分の磁化反転間隔の分布のうちの少なくとも一方が異常である場合に、２回分の磁化反転間隔の分布の比較結果に基づき異常原因を特定する。【選択図】図８
2016131051.tif 000002
【特許請求の範囲】
【請求項１】
通帳取扱装置であって、
通帳が有する磁気ストライプから磁気信号を読み取る磁気ヘッドと、
前記通帳と前記磁気ヘッドとのうちの少なくとも一方の搬送を実行し、前記磁気ストライプに対して前記磁気ヘッドを相対移動させる搬送部と、
前記読み取られた磁気信号に基づき、前記磁気ストライプにおける読取位置毎の磁化反転間隔の分布を検出する検出部と、
前記検出された磁化反転間隔の分布が正常であるか否かを判定する正常性判定部と、
前記磁化反転間隔の分布の異常原因を特定する原因特定部と、
を備え、
前記搬送部は、前記搬送に関する搬送関連条件と、前記磁気ヘッドが前記磁気信号を読み取る際の前記通帳における前記磁気ストライプを有する面側の厚さに関連する厚さ関連条件と、のうちの少なくとも一方を含む読み取り条件を異ならせて、前記搬送を少なくとも２回実行し、
前記原因特定部は、２回分の前記搬送時に読み取られた前記磁気信号に基づき検出された２回分の前記磁化反転間隔の分布のうちの少なくとも一方が異常であると判定された場合に、前記２回分の前記磁化反転間隔の分布の比較結果に基づき前記異常原因を特定する、通帳取扱装置。
【請求項２】
請求項１に記載の通帳取扱装置であって、
前記搬送部は、第Ｎ（Ｎは１以上の整数）回目の前記搬送時に読み取られた前記磁気信号に基づき検出された前記磁化反転間隔の分布が異常であると判定された場合に、前記読み取り条件を前記第Ｎ回目の搬送時とは異ならせて第Ｎ＋１回目の前記搬送を実行する、通帳取扱装置。
【請求項３】
請求項２に記載の通帳取扱装置であって、
前記通帳のページを捲るページ捲り部と、前記磁気ストライプに前記磁気信号を書き込む書込部と、をさらに備え、
前記ページ捲り部は、前記第Ｎ回目の前記搬送が実行され、且つ、前記第Ｎ＋１回目の前記搬送が実行される前に前記通帳のページを捲り、前記第Ｎ＋１回目の前記搬送時における前記読み取り条件において、前記通帳における前記磁気ストライプを有する面側のページ数を前記第Ｎ回目の前記搬送時よりも増加させ、
前記書込部は、前記第Ｎ＋１回目の前記搬送時に読み取られた前記磁気信号に基づき検出された前記磁化反転間隔の分布における極大部または極小部の前記磁化反転間隔の大きさが所定値以下である場合に、前記第Ｎ＋１回目の前記搬送時における前記読み取り条件と同じ条件で前記磁気信号を書き込む、通帳取扱装置。
【請求項４】
請求項１から請求項３までのいずれか一項に記載の通帳取扱装置であって、
前記原因特定部は、前記異常原因として、前記通帳に異物が挟み込まれていること又は前記磁気ストライプが折れていることと、前記磁気信号が異常であることと、を区別して特定する、通帳取扱装置。
【請求項５】
請求項１から請求項４までのいずれか一項に記載の通帳取扱装置であって、
前記２回分の前記搬送時における前記読み取り条件において、前記相対移動の速度が互いに異なり、
前記原因特定部は、前記２回分の前記磁化反転間隔の分布における極大部または極小部の前記磁化反転間隔の大きさが互いに異なる場合に、前記異常原因として、前記通帳に異物が挟み込まれていること又は前記磁気ストライプが折れていることを特定する、通帳取扱装置。
【請求項６】
請求項１から請求項４までのいずれか一項に記載の通帳取扱装置であって、
前記２回分の前記搬送時における前記読み取り条件において、前記相対移動の方向が互いに異なり、
前記原因特定部は、前記２回分の前記磁化反転間隔の分布が前記磁気ストライプにおける読取位置の中心を中心として対称でない場合に、前記異常原因として、前記通帳に異物が挟み込まれていることを特定する、通帳取扱装置。
【請求項７】
請求項１から請求項４までのいずれか一項に記載の通帳取扱装置であって、
前記通帳のページを捲るページ捲り部をさらに備え、
前記２回分の前記搬送時における前記読み取り条件として、前記通帳における前記磁気ストライプを有する面側のページ数が互いに異なり、
前記ページ捲り部は、前記２回分の前記搬送のうち、１回目の前記搬送が実行され、且つ、２回目の前記搬送が実行される前に、前記通帳のページを捲り、
前記原因特定部は、前記２回分の前記磁化反転間隔の分布における極大部または極小部の前記磁化反転間隔の大きさが互いに異なる場合に、前記異常原因として、前記通帳に異物が挟み込まれていること又は前記磁気ストライプが折れていることを特定する、通帳取扱装置。
【請求項８】
請求項１から請求項７までのいずれか一項に記載の通帳取扱装置であって、
表示部に、前記特定された前記磁化反転間隔の分布の前記異常原因を示す情報を表示させる表示制御部をさらに備える、通帳取扱装置。
【請求項９】
請求項１から請求項８までのいずれか一項に記載の通帳取扱装置であって、
前記搬送部は、前記通帳と前記磁気ヘッドとのうち、前記通帳の搬送を実行することにより、前記磁気ストライプに対して前記磁気ヘッドを前記相対移動させる、通帳取扱装置。
【請求項１０】
請求項１から請求項８までのいずれか一項に記載の通帳取扱装置であって、
前記搬送部は、前記通帳と前記磁気ヘッドとのうち、前記磁気ヘッドの搬送を実行することにより、前記磁気ストライプに対して前記磁気ヘッドを前記相対移動させる、通帳取扱装置。
【請求項１１】
請求項１から請求項１０までのいずれか一項に記載の通帳取扱装置を備える、現金自動取扱装置。
【請求項１２】
通帳が有する磁気ストライプに基づき検出される磁化反転間隔の分布の異常原因を特定する方法であって、
（ａ）前記通帳と前記磁気ストライプから磁気信号を読み取る磁気ヘッドとのうちの少なくとも一方の搬送を実行し、前記磁気ストライプに対して前記磁気ヘッドを相対移動させる工程と、
（ｂ）前記磁気ヘッドにより前記通帳が有する前記磁気ストライプから前記磁気信号を読み取る工程と、
（ｃ）前記読み取られた磁気信号に基づき、前記磁気ストライプにおける読取位置毎の磁化反転間隔の分布を検出する工程と、
（ｄ）前記検出された磁化反転間隔の分布が正常であるか否かを判定する工程と、
（ｅ）前記磁化反転間隔の分布の異常原因を特定する工程と、
を備え、
前記工程（ａ）は、前記搬送に関する搬送関連条件と、前記磁気ヘッドが前記磁気信号を読み取る際の前記通帳における前記磁気ストライプを有する面側の厚さに関連する厚さ関連条件と、のうちの少なくとも一方を含む読み取り条件を異ならせて、前記搬送を少なくとも２回実行する工程を含み、
前記工程（ｅ）は、前記工程（ｄ）において、２回分の前記搬送時に読み取られた前記磁気信号に基づき検出された２回分の前記磁化反転間隔の分布のうちの少なくとも一方が異常であると判定された場合に、前記２回分の前記磁化反転間隔の分布の比較結果に基づき前記異常原因を特定する工程を含む、方法。
【発明の詳細な説明】
【技術分野】
【０００１】
本発明は、通帳取扱装置に関する。
【背景技術】
【０００２】
従来から、預金通帳や貯金通帳等の通帳として、個人情報や残高情報等を記録するための磁気ストライプを有する通帳が用いられている。一般に、現金自動預払機（ＡＴＭ：Automated Teller Machine）や通帳記帳機等の装置は、内部に通帳取扱装置（通帳処理ユニット）を備えている。通帳取扱装置は、通帳の磁気ストライプが有する磁気データの読み取り処理および磁気ストライプへの磁気データの書き込み処理を行なう磁気ヘッドや、通帳のページを捲るページ捲り部等を備えている。磁気ヘッドは、かかる処理を行なう際に、通帳の磁気ストライプと当接する。特許文献１には、通帳のページの厚さに応じて磁気ヘッドと磁気ストライプとの当接圧力を制御することにより、適切な当接圧力で磁気データの読み取りおよび書き込みを行なう通帳取扱装置が開示されている。
【先行技術文献】
【特許文献】
【０００３】
【特許文献１】特開２０１２−１７１２５９号公報
【発明の概要】
【発明が解決しようとする課題】
【０００４】
通帳にキャッシュカード等の異物が挟み込まれている場合や磁気ストライプが折れている場合等には、磁気ヘッドと磁気ストライプとの当接圧力が変動して磁気データの正常な読み取りおよび書き込みができないことがある。しかしながら、特許文献１では、このような異物の挟み込み等については考慮されていないため、磁気データの正常な読み取りおよび書き込みができずに通帳取扱装置にエラーが発生し、通帳取扱装置が停止するおそれがあった。このようなエラーは、磁気ストライプが有する磁気データから検出される磁化反転間隔の分布の異常により発生する。また、このような異常は、異物の挟み込み等以外にも磁気ストライプに記録されている磁気データ自体の異常によっても発生する。しかしながら、従来の技術では、磁化反転間隔の分布の異常が、磁気データの異常に由来するか、異物の挟み込み等に由来するかについて特定できていなかった。このため、エラー発生時に適切な対応ができないおそれがあった。したがって、通帳取扱装置において磁化反転間隔の分布の異常原因を特定可能な技術が求められていた。
【０００５】
そこで、本発明は、磁化反転間隔の分布の異常原因を特定可能な通帳取扱装置を提供する。
【課題を解決するための手段】
【０００６】
上記課題を解決するために、本発明によれば、通帳取扱装置が提供される。この通帳取扱装置は、通帳が有する磁気ストライプから磁気信号を読み取る磁気ヘッドと；前記通帳と前記磁気ヘッドとのうちの少なくとも一方の搬送を実行し、前記磁気ストライプに対して前記磁気ヘッドを相対移動させる搬送部と；前記読み取られた磁気信号に基づき、前記磁気ストライプにおける読取位置毎の磁化反転間隔の分布を検出する検出部と；前記検出された磁化反転間隔の分布が正常であるか否かを判定する正常性判定部と；前記磁化反転間隔の分布の異常原因を特定する原因特定部と；を備え；前記搬送部は、前記搬送に関する搬送関連条件と、前記磁気ヘッドが前記磁気信号を読み取る際の前記通帳における前記磁気ストライプを有する面側の厚さに関連する厚さ関連条件と、のうちの少なくとも一方を含む読み取り条件を異ならせて、前記搬送を少なくとも２回実行し；前記原因特定部は、２回分の前記搬送時に読み取られた前記磁気信号に基づき検出された２回分の前記磁化反転間隔の分布のうちの少なくとも一方が異常であると判定された場合に、前記２回分の前記磁化反転間隔の分布の比較結果に基づき前記異常原因を特定する。
【発明の効果】
【０００７】
本発明によれば、磁化反転間隔の分布の異常原因を特定可能な通帳取扱装置を提供することができる。
上記した以外の課題、構成及び効果は、以下の実施形態の説明により明らかにされる。
【図面の簡単な説明】
【０００８】
【図１】本発明の第１実施形態としての通帳取扱装置を適用した現金自動預払機の概略構成および通帳の構成を示す説明図である。
【図２】ＡＴＭ１００および通帳取扱装置１０の主要部の構成を示すブロック図である。
【図３】通帳取扱装置１０の詳細構成を模式的に示す断面図である。
【図４】磁気データ処理部５０の構成を示すブロック図である。
【図５】磁気ストライプＳにおける読み取り位置毎の磁化反転間隔の分布を示す説明図である。
【図６】通帳Ｔに異物Ｆが挟み込まれている状態を説明する斜視図である。
【図７】通帳Ｔに異物Ｆが挟み込まれた状態において検出される磁化反転間隔の分布を示す説明図である。
【図８】磁化反転間隔の分布の異常原因特定処理の手順を示すフローチャートである。
【図９】読み取り速度を変更した場合の磁化反転間隔の分布を説明する説明図である。
【図１０】通帳Ｔに異物Ｆの挟み込み等の異常がある旨を利用者に対し通知する画面の例を示す説明図である。
【図１１】第２実施形態における磁化反転間隔の分布の異常原因特定処理の手順を示すフローチャートである。
【図１２】磁気信号自体に異常がある状態において読み取り方向を変更した場合の磁化反転間隔の分布を説明する説明図である。
【図１３】通帳Ｔに異物Ｆの挟み込みがある状態において読み取り方向を変更した場合の磁化反転間隔の分布を説明する説明図である。
【図１４】第３実施形態における磁化反転間隔の分布の異常原因特定処理の手順を示すフローチャートである。
【図１５】磁気ストライプＳを有する面側のページ数を変更した場合の磁化反転間隔の分布を説明する説明図である。
【図１６】第４実施形態における磁化反転間隔の分布の異常原因特定処理の手順を示すフローチャートである。
【図１７】通帳Ｔに異物Ｆの挟み込み等の異常があった旨を利用者に対し通知する画面の例を示す説明図である。
【図１８】変形例７としての通帳取扱装置を適用した通帳記帳機の概略構成を示す説明図である。
【発明を実施するための形態】
【０００９】
Ａ．第１実施形態：
Ａ−１．装置構成：
図１は、本発明の第１実施形態としての通帳取扱装置を適用した現金自動預払機の概略構成および通帳の構成を示す説明図である。図１（ａ）は、現金自動預払機の概略構成を示す斜視図である。図１（ｂ）は、現金自動預払機で取り扱われる通帳Ｔの構成を示す平面図である。現金自動預払機（以下、ＡＴＭ（Automated Teller Machine）とも呼ぶ）１００は、例えば金融機関やコンビニエンスストア等に設置され、利用者の操作に応じて、現金出納等の取引処理を行う。
【００１０】
図１（ａ）に示すＡＴＭ１００は、筐体の表面に、表示部１１０と、紙幣入出金口１２０と、硬貨入出金口１３０と、カード入出口１４０と、通帳入出口１５０とを備える。また、筐体の内部に、通帳取扱装置１０と、主制御部１６０と、図示しない後述する各種処理部とを備える。
【００１１】
表示部１１０は、利用者に対して取引画面を表示する機能を有すると共に、文字入力や選択ボタンの押下等、利用者による操作を受け付ける操作部としての機能も有する。紙幣入出金口１２０は、紙幣の投入を受け付けると共に紙幣の排出を行う。硬貨入出金口１３０は、硬貨の投入を受け付けると共に硬貨の排出を行う。カード入出口１４０は、キャッシュカードの挿入を受け付けると共にキャッシュカードの返却を行なう。通帳入出口１５０は、通帳の挿入を受け付けると共に通帳の返却を行う。通帳取扱装置１０は、取引で使用する通帳を取り扱い、磁気データの読み取りおよび書き込みや、取引内容の通帳への印字等を行なう。通帳取扱装置１０は、通帳に対応する口座における過去の取引内容も含めて、まだ印字されていない取引内容を通帳に印字する。主制御部１６０は、不図示のＣＰＵおよびメモリ等から構成されるコンピュータであり、ＡＴＭ１００全体を制御する。
【００１２】
図１（ｂ）は、通帳Ｔが開かれた状態における、通帳Ｔの表表紙Ｔ１および裏表紙Ｔ２を示している。通帳Ｔは、裏表紙Ｔ２に磁気ストライプＳを備える。磁気ストライプＳは、口座番号や印字行最終位置等の情報を記録している。具体的には、磁気ストライプＳは、多数の微小な磁性体の集合体であり、隣接する磁性体同士の磁化方向は互いに反転している。磁気ストライプＳでは、この磁化反転の間隔の大きさにより０と１とを表し、磁気データを記録している。このため、磁気データの書き込みは、取引のデータに基づき磁化反転間隔を変化させることにより行なわれ、磁気データの読み取りは、磁気ストライプＳから読み取った磁気信号に基づき磁化反転間隔を検出することにより行なわれる。実際の磁化反転間隔には、０と１との電気信号を示す２つの異なる間隔が存在するが、以降の説明では、内容の理解を容易とするために正常な磁気データにおける磁化反転間隔は一定なものとする。本実施形態において、磁気ストライプＳは、帯状の外観形状を有し、裏表紙Ｔ２の短手方向の辺と平行に配置されている。なお、磁気ストライプＳは、帯状に代えて他の任意の形状を有していてもよく、表表紙Ｔ１に配置されていてもよい。本実施形態において、通帳Ｔは、印字面が開かれて上方を向いた状態で、すなわち、表表紙Ｔ１および裏表紙Ｔ２が中紙の下方となるように開かれた状態で、通帳入出口１５０に挿入される。
【００１３】
図２は、ＡＴＭ１００および通帳取扱装置１０の主要部の構成を示すブロック図である。図３は、通帳取扱装置１０の詳細構成を模式的に示す断面図である。ＡＴＭ１００は、通帳取扱装置１０と、表示部１１０と、紙幣処理部１２５と、硬貨処理部１３５と、カード処理部１４５と、主制御部１６０とを備える。紙幣処理部１２５は、紙幣を収容すると共に紙幣の入出金処理を行なう。硬貨処理部１３５は、硬貨を収容すると共に硬貨の入出金処理を行なう。カード処理部１４５は、取引で使用するキャッシュカードからのデータの読み取りや、キャッシュカードへのデータの書き込み等の処理を行う。
【００１４】
通帳取扱装置１０は、検知部２０と、搬送部３０と、磁気ヘッド４０と、磁気データ処理部５０と、印字部６０と、ページ捲り部７０と、制御部８０と、通信部９０とを備える。
【００１５】
検知部２０は、通帳Ｔが通帳入出口１５０へ挿入されたこと、および排出される通帳Ｔが利用者により抜き取られたことを検知する。検知部２０は、搬送路３２を挟んで互いに反対側に位置する発光素子と受光素子とを有するセンサにより構成されている。なお、通帳取扱装置１０は、検知部２０に加えて後述する通帳Ｔの搬送路３２の任意の位置に配置された他の検知部を備えていてもよい。
【００１６】
搬送部３０は、図３において白抜きの矢印で示す挿入方向Ｄ１および排出方向Ｄ２に通帳Ｔを搬送する。搬送部３０は、搬送路３２と、複数の搬送ローラ３４と、搬送ローラ３４を駆動する図示しない駆動モータとを備える。搬送路３２は、通帳取扱装置１０の内部に形成され、通帳Ｔの搬送経路として機能する。複数の搬送ローラ３４は、搬送路３２を挟んで対向する一対の搬送ローラ３４が、搬送路３２に沿って複数並んだ構成を有する。本実施形態において、搬送路３２を挟んで対向する一対の搬送ローラ３４のうちの一方は、駆動モータにより駆動する駆動ローラであり、他方は、搬送されている通帳Ｔとの摩擦によって回転する従動ローラである。なお、一対の搬送ローラ３４のいずれもが駆動ローラであってもよい。後述するように、磁気ヘッド４０は、搬送方向に対して固定配置されている。このため、搬送部３０は、通帳Ｔを搬送することにより磁気ストライプＳに対して磁気ヘッド４０を相対移動させることができる。なお、かかる相対移動を実行するために通帳Ｔに代えて磁気ヘッド４０を搬送する構成と比べて、通帳取扱装置１０の構成を簡略化できる。
【００１７】
磁気ヘッド４０は、通帳Ｔの磁気ストライプＳに当接して磁気信号の読み取りおよび書き込みを行なう。磁気ヘッド４０は、或る搬送ローラ３４と搬送路３２を挟んで対向している。磁気データ処理部５０は、磁気ヘッド４０により読み取られた磁気信号に基づいて磁気データ処理を行なう。
【００１８】
図４は、磁気データ処理部５０の構成を示すブロック図である。磁気データ処理部５０は、アンプ５２と、波形整形回路５４と、データ読取回路５６とを備える。磁気データの読み取りにおいて、アンプ５２は、磁気ヘッド４０により読み取られた磁気ストライプＳの磁気信号を増幅して出力する。波形整形回路５４は、アンプ５２により出力された信号に対してノイズの除去等を行うことにより、信号の波形を整える。データ読取回路５６は、波形整形回路５４により整えられた信号の波形から磁化反転間隔を検出し、検出された磁化反転間隔から磁気データを読み取る。なお、本実施形態において、磁気データ処理部５０は波形整形回路５４を備えるが、磁気データの処理が可能であれば波形整形回路５４を省略してもよい。
【００１９】
図２および図３に示す印字部６０は、上位装置のＡＴＭ１００の取引内容を通帳Ｔに印字する。印字部６０は、印字を行う印字ヘッド６２と、印字ヘッド６２を任意の位置に移動させる図示しない印字キャリアモーターとを備える。ページ捲り部７０は、通帳Ｔのページを捲ることで通帳Ｔの任意のページを開く。ページ捲り部７０は、ページを捲るローラ７２と、ローラ７２を回転させる図示しないモータとを備える。
【００２０】
制御部８０は、不図示のＣＰＵおよびメモリ等から構成されるコンピュータであり、通帳取扱装置１０全体を制御する。かかる制御の一例として、制御部８０は、後述する磁化反転間隔の分布の異常原因特定処理を行なう。制御部８０は、正常性判定部８２と、原因特定部８４と、表示制御部８６とを備える。正常性判定部８２は、磁化反転間隔の分布が正常であるか否かを判定する。原因特定部８４は、磁化反転間隔の分布の異常原因を特定する。表示制御部８６は、磁化反転間隔の分布の異常原因を示す情報や、その原因を取り除くための処理に関する情報をＡＴＭ１００の表示部１１０に表示させる。通信部９０は、ＡＴＭ１００の主制御部１６０と接続され、各種の情報を通信する。
【００２１】
本実施形態において、磁気ヘッド４０は請求項における磁気ヘッドおよび書込部に相当し、磁気データ処理部５０は請求項における検出部に相当する。また、制御部８０は請求項における制御部に相当する。
【００２２】
Ａ−２．磁化反転間隔の分布：
図５は、磁気ストライプＳにおける読み取り位置毎の磁化反転間隔の分布を示す説明図である。図５の上段は、磁気ストライプＳが磁気ヘッド４０と当接した状態で、通帳Ｔが搬送路３２を搬送される様子を模式的に示している。図５の下段は、磁気ストライプＳにおける読み取り位置毎の磁化反転間隔の分布を示している。図５の下段において、縦軸は磁化反転間隔の大きさを示し、横軸は磁気ストライプＳの読み取り位置を示している。図５では、通帳Ｔに異物の挟み込み等の異常が無く、且つ磁気ストライプＳの磁気信号自体に異常が無い状態における磁化反転間隔を示している。
【００２３】
図５上段において実線の矢印で示す方向へ搬送ローラ３４が回転すると、通帳Ｔは、磁気ヘッド４０と搬送ローラ３４に挟まれた状態で挿入方向Ｄ１に搬送される。このとき、磁気ヘッド４０は、磁気ヘッド４０の上を走査する磁気ストライプＳから磁気信号を読み取る。通帳Ｔの搬送に伴い、磁気ストライプＳにおける読み取り位置毎の磁化反転間隔が検出され、最終的に、図５下段に示すような、読み取り位置毎の磁化反転間隔の分布が検出される。通帳Ｔに異物の挟み込み等の異常が無く且つ磁気ストライプＳの磁気信号に異常が無い状態において、磁化反転間隔は、磁気ストライプＳの読み取り位置に関わらず一定となる。なお、通帳Ｔに異物の挟み込み等の異常が無い場合、通帳Ｔの搬送速度は一定である。
【００２４】
図６は、通帳Ｔに異物Ｆが挟まれている状態を説明する斜視図である。図６に示す例では、裏表紙Ｔ２と中紙Ｔ３との間に異物Ｆが挟まれている。異物Ｆは、裏表紙Ｔ２を挟んで磁気ストライプＳと対向する位置に配置されている。図示するように、異物Ｆは、磁気ストライプＳの中央部と重なる位置に配置され、磁気ストライプＳの両端には、異物Ｆと重ならない部分が存在する。通帳ＴがＡＴＭ１００の通帳入出口１５０へ挿入される際には、中紙Ｔ３が裏表紙Ｔ２および異物Ｆの上に被さった状態で通帳Ｔが開かれて挿入される。このため、ＡＴＭ１００の利用者は、異物Ｆの挟み込みに気付かないまま、通帳Ｔを通帳入出口１５０へ挿入するおそれがある。本実施形態において、異物Ｆはキャッシュカードであるが、キャッシュカードに代えて、他の任意のカード類やクリップ等であってもよい。
【００２５】
図７は、通帳Ｔに異物Ｆが挟まれた状態において検出される磁化反転間隔の分布を示す説明図である。図７における左上の図は、異物Ｆが挟まれていない箇所から異物Ｆが挟まれている箇所へと磁気ヘッド４０が当接する様子を模式的に示している。図７における右上の図は、異物Ｆが挟まれている箇所から異物Ｆが挟まれていない箇所へと磁気ヘッド４０が当接する様子を模式的に示している。図７の下段は、磁気ストライプＳにおける読み取り位置毎の磁化反転間隔の分布を示している。
【００２６】
図７における左上の図に示すように、通帳Ｔが搬送されて、異物Ｆが挟まれていない箇所から異物Ｆが挟まれている箇所へと磁気ヘッド４０が当接する際、磁気ヘッド４０が異物Ｆに対して間接的に衝突することで、搬送抵抗は大きくなる。なお、本実施形態において「間接的」とは、裏表紙Ｔ２および中紙Ｔ３を介することを意味する。搬送抵抗が大きくなることによって、磁気ヘッド４０による磁気ストライプＳの磁気信号の読み取り速度は、一時的に遅くなる。このため、磁気データ処理部５０により検出される磁化反転間隔は、通帳Ｔに異物Ｆが挟まれていない正常の状態と比較して大きくなり、磁化反転間隔の分布に極大部Ｂ１が生じる。
【００２７】
図７における右上の図に示すように、通帳Ｔが搬送されて、異物Ｆが挟まれている箇所から異物Ｆが挟まれていない箇所へと磁気ヘッド４０が当接する際、磁気ヘッド４０が異物Ｆに対して間接的にスリップすることで、搬送抵抗は小さくなる。搬送抵抗が小さくなることによって、磁気ヘッド４０による磁気ストライプＳの磁気信号の読み取り速度は、一時的に速くなる。このため、磁気データ処理部５０により検出される磁化反転間隔は、通帳Ｔに異物Ｆが挟まれていない正常の状態と比較して小さくなり、磁化反転間隔の分布に極小部Ｓ１が生じる。
【００２８】
図７下段に示すように、通帳Ｔに異物Ｆが挟まれた状態における磁化反転間隔は、磁気ストライプＳの読み取り位置に対して一定ではなく、異物Ｆの端部と対応する位置において磁化反転間隔の分布に極大部Ｂ１または極小部Ｓ１が生じる。このため、本実施形態において、通帳Ｔに異物Ｆが挟まれた状態における磁化反転間隔の分布には、２ヶ所に異常が生じている。このような磁化反転間隔の分布の異常は、上述した異物Ｆ等の挟み込み以外にも、磁気ストライプＳが折れている場合や、磁気データ自体に異常がある場合にも発生し得る。本実施形態の通帳取扱装置１０では、後述する異常原因特定処理を実行することにより、磁化反転間隔の分布の異常原因が、磁気信号の異常に由来するか、または異物Ｆの挟み込み等に由来するかを区別して特定できる。
【００２９】
Ａ−３．磁化反転間隔の分布の異常原因特定処理：
図８は、磁化反転間隔の分布の異常原因特定処理の手順を示すフローチャートである。磁化反転間隔の分布の異常原因特定処理は、通帳Ｔが通帳入出口１５０に挿入されると実行される。
【００３０】
通帳Ｔが通帳入出口１５０に挿入されると、搬送部３０は、搬送ローラ３４を駆動して通帳Ｔを磁気ヘッド４０へ搬送する。搬送部３０は、通帳Ｔの第１回目の搬送を実行して磁気ストライプＳに対して通帳Ｔを相対移動させ、磁気ヘッド４０は、通帳Ｔの磁気ストライプＳの磁気信号を読み取る（ステップＳ２１０）。以降では、このときの読み取り条件を、第１の読み取り条件と呼ぶ。本実施形態において読み取り条件は、磁気ストライプＳに対する磁気ヘッド４０の相対移動速度（読み取り速度とも呼ぶ）を含む。制御部８０は、磁気ヘッド４０が磁気ストライプＳの磁気信号を読み取れたか否かを判定する（ステップＳ２１５）。磁気信号を読み取れなかったと判定された場合（ステップＳ２１５：ＮＯ）、制御部８０は、搬送部３０を制御して通帳Ｔを搬送し、通帳入出口１５０から通帳Ｔを排出させる（ステップＳ２２０）。これにより、フローは終了する。
【００３１】
磁気信号を読み取れたと判定された場合（ステップＳ２１５：ＹＥＳ）、磁気データ処理部５０は、磁気ストライプＳにおける読み取り位置毎の磁化反転間隔の分布を検出する（ステップＳ２２５）。以降では、このとき検出された磁化反転間隔の分布を、第１の磁化反転間隔の分布と呼ぶ。正常性判定部８２は、第１の磁化反転間隔の分布が正常であるか否かを判定する（ステップＳ２３０）。具体的には、上述の図７に示す極大部Ｂ１および極小部Ｓ１のように、磁化反転間隔が通常時の間隔に比べて所定の閾値異常に大きいまたは小さい位置が存在する場合に、磁化反転間隔の分布が異常であると判定する。第１の磁化反転間隔の分布が正常であると判定された場合（ステップＳ２３０：ＹＥＳ）、制御部８０は、取引を続行させて次処理へ移行させる。本実施形態において、「次処理」とは、印字部６０による通帳Ｔへの取引内容の印字と、中紙Ｔ３の最終行まで印字した場合におけるページ捲り部７０による通帳Ｔのページ捲りと、磁気ヘッド４０による磁気ストライプＳへの磁気データの書き込みと、通帳Ｔの排出とを含む処理を意味する。
【００３２】
他方、第１の磁化反転間隔の分布が正常でないと判定された場合（ステップＳ２３０：ＮＯ）、制御部８０は、磁気ストライプＳの読み取り速度（通帳Ｔの搬送速度）を変更した第２の読み取り条件を設定する（ステップＳ２３５）。本実施形態において、第２の読み取り条件における読み取り速度は、第１の読み取り条件における読み取り速度と比べて遅い。なお、第２の読み取り条件における読み取り速度が、第１の読み取り条件における読み取り速度と比べてが速く設定されてもよい。制御部８０は、搬送部３０を制御してステップＳ２１０が実行される前の位置に通帳Ｔを搬送させる。搬送部３０は、通帳Ｔの第２回目の搬送を実行し、磁気ヘッド４０は、第２の読み取り条件で、通帳Ｔの磁気ストライプＳの磁気信号を読み取る（ステップＳ２４０）。磁気データ処理部５０は、磁化反転間隔の分布を検出する（ステップＳ２４５）。以降では、このとき検出された磁化反転間隔の分布を、第２の磁化反転間隔の分布と呼ぶ。
【００３３】
図９は、読み取り速度を変更した場合の磁化反転間隔の分布を説明する説明図である。図９（ａ）は読み取り速度を変更する前の磁化反転間隔の分布を示し、図９（ｂ）は図９（ａ）と比較して読み取り速度を遅くした場合の磁化反転間隔の分布を示し、図９（ｃ）は図９（ａ）と比較して読み取り速度を速くした場合の磁化反転間隔の分布を示している。通帳Ｔに異物Ｆが挟まれた状態で読み取り速度を遅くした場合、磁気ヘッド４０の異物Ｆに対する間接的な衝突およびスリップに由来する衝撃は、小さくなる。このように、読み取り速度を遅くすると異物Ｆによる影響が低減するため、図９（ｂ）に示すように、磁化反転間隔の分布における極大部および極小部の大きさＡは、小さくなる。これに対し、通帳Ｔに異物Ｆが挟まれた状態で読み取り速度を速くした場合、磁気ヘッド４０の異物Ｆに対する間接的な衝突およびスリップに由来する衝撃は、大きくなる。このように、読み取り速度を速くすると異物Ｆによる影響が増大するため、図９（ｃ）に示すように、磁化反転間隔の分布における極大部および極小部の大きさＡは、大きくなる。なお、本実施形態において「磁化反転間隔の分布における極大部および極小部の大きさＡ」とは、通帳Ｔに異常が無い場合の磁化反転間隔と極大部の磁化反転間隔の大きさとの差分、および、通帳Ｔに異常が無い場合の磁化反転間隔と極小部の磁化反転間隔の大きさとの差分を意味する。なお、これら代えて、通帳Ｔに異常が無い場合の磁化反転間隔を底辺としたときの、極大部および極小部の面積であってもよい。
【００３４】
他方、通帳Ｔに異物Ｆの挟み込みがなく、磁気ストライプＳの磁気信号自体の異常に由来して、磁化反転間隔の分布に異常が生じる場合がある。この場合、読み取り速度の変更前後において磁化反転間隔の分布は変化しない。すなわち、磁化反転間隔の分布における極大部および極小部の大きさは、読み取り速度の変更前後において変化しない。このため、磁化反転間隔の分布の異常原因として、通帳Ｔに異物Ｆが挟み込まれていることと、磁気ストライプＳの磁気信号が異常であることとを区別して特定することができる。具体的には、第１の磁化反転間隔の分布における極大部または極小部の大きさＡと、第２の磁化反転間隔の分布における極大部または極小部の大きさＡとが互いに異なる場合には、磁化反転間隔の分布の異常原因として、通帳Ｔに異物Ｆが挟み込まれていることを特定できる。また、第１の磁化反転間隔の分布における極大部または極小部の大きさＡと、第２の磁化反転間隔の分布における極大部または極小部の大きさＡとが実質的に同じ場合には、磁化反転間隔の分布の異常原因として、磁気ストライプＳの磁気信号が異常であることを特定できる。
【００３５】
図８に示すフローにおいて、原因特定部８４は、第１の磁化反転間隔の分布と第２の磁化反転間隔の分布とを比較し、第１の磁化反転間隔の分布と第２の磁化反転間隔の分布における極大部または極小部の磁化反転間隔の大きさが互いに異なるか否かを判定する（ステップＳ２５０）。第１の磁化反転間隔の分布と第２の磁化反転間隔の分布とで、極大部または極小部の磁化反転間隔の大きさが互いに異なると判定された場合（ステップＳ２５０：ＹＥＳ）、原因特定部８４は、磁化反転間隔の分布の異常原因として、通帳Ｔに異物Ｆが挟み込まれていると特定する（ステップＳ２５５）。制御部８０は、搬送部３０を制御して通帳Ｔを搬送し、通帳入出口１５０から通帳Ｔを排出させる（ステップＳ２６０）。表示制御部８６は、通帳Ｔに異物Ｆの挟み込みがある旨を利用者に対し通知する画面を、ＡＴＭ１００の表示部１１０に表示させる（ステップＳ２６５）。これにより、フローは終了する。ここで、通帳Ｔに異物Ｆの挟み込みがある状態では、磁気ストライプＳに磁気データを書き込もうとしても正常な書き込みが実施されず、書き込みエラーが生じ、通帳取扱装置１０およびＡＴＭ１００が停止するおそれがある。また、書き込みエラーが生じない場合であっても、かかる通帳Ｔを用いた次の取引時において、読み取りエラーが生じ、通帳取扱装置１０およびＡＴＭ１００が停止するおそれがある。そこで、本実施形態では、ステップＳ２５５〜Ｓ２６５が実行される場合には、磁気ストライプＳへの磁気データの書き込みは行なわれない。
【００３６】
図１０は、通帳Ｔに異物Ｆの挟み込み等の異常がある旨を利用者に対し通知する画面の例を示す説明図である。利用者は、表示部１１０に表示された通知画面Ｗ１により、通帳Ｔに異物Ｆの挟み込み等があることを認識できる。また、利用者は、排出された通帳Ｔを確認して異物Ｆの除去等を行ない、その後、再度取引を行なうことができる。
【００３７】
図８に示すフローにおいて、第１の磁化反転間隔の分布と第２の磁化反転間隔の分布とで、極大部または極小部の磁化反転間隔の大きさが互いに異ならないと判定された場合（ステップＳ２５０：ＮＯ）、原因特定部８４は、磁化反転間隔の分布の異常原因として、磁気ストライプＳに記録されている磁気信号自体に異常があると特定する（ステップＳ２７０）。制御部８０は、取引を続行させて上述した次処理へ移行させる。
【００３８】
本実施形態において、磁気ストライプＳの読み取り速度（通帳Ｔの搬送速度）は、請求項における搬送関連条件に相当する。
【００３９】
以上説明した第１実施形態の通帳取扱装置１０では、磁気ストライプＳの読み取り速度が互いに異なる２回の読み取りで得られた２回分の磁化反転間隔の分布を比較し、その比較結果により、磁化反転間隔の分布の異常原因として、異物Ｆの挟み込みと磁気データ異常とを区別して特定できる。このため、異常原因に応じた適切な対応を行なうことができる。したがって、異物Ｆの挟み込みに由来して通帳取扱装置１０およびＡＴＭ１００にエラーが発生することを抑制できる。また、従来の通帳取扱装置と同様の構成で、磁化反転間隔の分布の異常が磁気信号の異常に由来するか異物Ｆの挟み込みに由来するかについて区別して特定できるので、コストの上昇を抑制できる。
【００４０】
また、連続した２回の搬送時に読み取られた磁気信号に基づき検出された２回分の磁化反転間隔の分布を比較するので、３回以上搬送する構成と比較して、磁化反転間隔の分布の異常原因特定処理に要する時間を短縮できる。また、異物Ｆの挟み込みに由来して磁化反転間隔の分布に異常があり、磁気信号の正常な読み取りができない場合に、通帳Ｔに異物Ｆの挟み込みがある旨を利用者に対し通知する。これにより、利用者が異物Ｆの除去等を行なった後に再度取引を行なうことができ、通帳取扱装置１０およびＡＴＭ１００にエラーが発生することを抑制でき、通帳取扱装置１０およびＡＴＭ１００が停止することを抑制できる。また、磁化反転間隔の分布の異常原因として通帳Ｔに異物Ｆが挟み込まれていることが特定された場合に、磁気データの書き込みを省略する。このため、磁気データの正常な書き込みが実施されず、書き込みエラーが生じることを抑制できる。また、かかる通帳Ｔを用いた次の取引時において、読み取りエラーが発生することを抑制できる。
【００４１】
Ｂ．第２実施形態：
図１１は、第２実施形態における磁化反転間隔の分布の異常原因特定処理の手順を示すフローチャートである。第２実施形態の磁化反転間隔の分布の異常原因特定処理は、読み取り条件の具体的な内容と、第１の磁化反転間隔の分布と第２の磁化反転間隔の分布との比較内容において、図８に示す第１実施形態の磁化反転間隔の分布の異常原因特定処理と異なる。具体的には、ステップＳ２３５に代えてステップＳ２３５ａが実行される点と、ステップＳ２５０に代えてステップＳ２５０ａが実行される点とにおいて、第１実施形態の磁化反転間隔の分布の異常原因特定処理と異なる。第２実施形態の磁化反転間隔の分布の異常原因特定処理におけるその他のステップおよび通帳取扱装置１０の構成は、第１実施形態と同じであるので、同一の構成には同一の符号を付し、それらの詳細な説明を省略する。
【００４２】
第１の磁化反転間隔の分布が正常でないと判定された場合（ステップＳ２３０：ＮＯ）、制御部８０は、磁気ストライプＳの読み取り方向を反対方向に変更した第２の読み取り条件を設定する（ステップＳ２３５ａ）。制御部８０は、搬送部３０を制御して、通帳Ｔを図３に示す排出方向Ｄ２へ搬送させる。磁気ヘッド４０は、第２の読み取り条件で通帳Ｔの磁気ストライプＳの磁気信号を読み取り（ステップＳ２４０）、すなわち、排出方向Ｄ２に搬送される際の磁気ストライプＳの磁気信号を読み取り、磁気データ処理部５０は、第２の磁化反転間隔の分布を検出する（ステップＳ２４５）。
【００４３】
図１２は、磁気信号自体に異常がある状態において、読み取り方向を変更した場合の磁化反転間隔の分布を説明する説明図である。図１２（ａ）は読み取り方向を変更する前の磁化反転間隔の分布を示し、図１２（ｂ）は図１２（ａ）と比較して読み取り方向を反対方向に変更した場合の磁化反転間隔の分布を示している。図１２（ａ）では通帳Ｔは挿入方向Ｄ１へ搬送され、図１２（ｂ）では通帳Ｔは排出方向Ｄ２へ搬送されている。
【００４４】
通帳Ｔに異物Ｆの挟み込みが無く、磁気ストライプＳの磁気信号自体の異常に由来して磁化反転間隔の分布に異常がある場合、読み取り方向の変更前後において磁化反転間隔の分布は異なる。具体的には、図１２（ｂ）に示す磁化反転間隔の分布は、図１２（ａ）に示す磁化反転間隔の分布と比較して、磁気ストライプＳにおける読み取り位置の中心を中心として対称となる。
【００４５】
図１３は、通帳Ｔに異物Ｆの挟み込みがある状態において、読み取り方向を変更した場合の磁化反転間隔の分布を説明する説明図である。図１３（ａ）は読み取り方向を変更する前の磁化反転間隔の分布を示し、図１３（ｂ）は図１３（ａ）と比較して読み取り方向を反対方向に変更した場合の磁化反転間隔の分布を示している。
【００４６】
磁気ストライプＳの磁気信号自体に異常が無く、通帳Ｔに異物Ｆの挟み込みがあることに由来して磁化反転間隔の分布に異常がある場合の、磁化反転間隔の分布について説明する。上述したように、通帳Ｔに異物Ｆの挟み込みがある場合、異物Ｆの端部と対応する位置において磁化反転間隔の分布に極大部または極小部が生じる。第１実施形態で説明したように、図６に示すように異物Ｆが挟み込まれた状態では、磁化反転間隔の分布には、磁気ヘッド４０の異物Ｆに対する間接的な衝突およびスリップに由来して、２ヶ所に異常が生じる。具体的には、先ず、衝突に由来して磁化反転間隔の分布に極大部が生じ、その後、スリップに由来して磁化反転間隔の分布に極小部が生じる。同様に、読み取り方向を変更しても、先ず、衝突に由来して磁化反転間隔の分布に極大部が生じ、その後、スリップに由来して磁化反転間隔の分布に極小部が生じる。このため、読み取り方向の変更前後において磁化反転間隔の分布に生じる極大部および極小部の順番は変化しない。したがって、図１３（ｂ）に示す磁化反転間隔の分布は、図１３（ａ）に示す磁化反転間隔の分布と比較して、磁気ストライプＳにおける読み取り位置の中心を中心として対称でない。このため、磁化反転間隔の分布の異常原因として、通帳Ｔに異物Ｆが挟み込まれていることと、磁気ストライプＳの磁気信号が異常であることとを区別して特定することができる。すなわち、第２の磁化反転間隔の分布が第１の磁化反転間隔の分布と比較して、磁気ストライプＳにおける読み取り位置の中心を中心として対称でない場合には、磁化反転間隔の分布の異常原因として、通帳Ｔに異物Ｆが挟み込まれていることを特定できる。これに対して、第２の磁化反転間隔の分布が第１の磁化反転間隔の分布と比較して、磁気ストライプＳにおける読み取り位置の中心を中心として対称である場合には、磁化反転間隔の分布の異常原因として、磁気ストライプＳの磁気信号が異常であることを特定できる。
【００４７】
図１１に示すフローにおいて、原因特定部８４は、第１の磁化反転間隔の分布と第２の磁化反転間隔の分布とを比較し、第１の磁化反転間隔の分布が第２の磁化反転間隔の分布と比較して、磁気ストライプＳにおける読み取り位置の中心を中心として対称であるか否かを判定する（ステップＳ２５０ａ）。第１の磁化反転間隔の分布が第２の磁化反転間隔の分布と比較して、磁気ストライプＳにおける読み取り位置の中心を中心として対称でないと判定された場合（ステップＳ２５０ａ：ＮＯ）、原因特定部８４は、磁化反転間隔の分布の異常原因として、通帳Ｔに異物Ｆが挟み込まれていると特定する（ステップＳ２５５）。他方、第１の磁化反転間隔の分布が第２の磁化反転間隔の分布と比較して、磁気ストライプＳにおける読み取り位置の中心を中心として対称であると判定された場合（ステップＳ２５０ａ：ＹＥＳ）、原因特定部８４は、磁化反転間隔の分布の異常原因として、磁気ストライプＳの磁気信号に異常があると特定する（ステップＳ２７０）。なお、本実施形態において、磁気ストライプＳの読み取り方向は、請求項における搬送関連条件に相当する。
【００４８】
以上説明した第２実施形態の通帳取扱装置１０は、第１実施形態の通帳取扱装置１０と同様な効果を有する。加えて、第２実施形態の通帳取扱装置１０では、第２の読み取り条件として磁気ストライプＳの読み取り方向を第１の読み取り条件の読み取り方向に対して反対に設定するので、通帳ＴをステップＳ２１０が実行される前の位置に戻す動作を省略でき、異常原因特定処理に要する時間を短縮できる。また、第１の磁化反転間隔の分布が第２の磁化反転間隔の分布と比較して、磁気ストライプＳにおける読み取り位置の中心を中心として対称であるか否かに基づいて異常原因が特定されるので、特定の際の判定基準が明確であり、特定精度の低下を抑制できる。
【００４９】
Ｃ．第３実施形態：
図１４は、第３実施形態における磁化反転間隔の分布の異常原因特定処理の手順を示すフローチャートである。第３実施形態の磁化反転間隔の分布の異常原因特定処理は、読み取り条件の具体的な内容において、図８に示す第１実施形態の磁化反転間隔の分布の異常原因特定処理と異なる。具体的には、ステップＳ２３５に代えてステップＳ２３５ｂが実行される点と、ステップＳ２３５とステップＳ２４０との間において、通帳Ｔのページ捲るステップＳ２３７が実行される点とにおいて、第１実施形態の磁化反転間隔の分布の異常原因特定処理と異なる。第３実施形態の磁化反転間隔の分布の異常原因特定処理におけるその他のステップおよび通帳取扱装置１０の構成は、第１実施形態と同じであるので、同一の構成には同一の符号を付し、それらの詳細な説明を省略する。
【００５０】
第１の磁化反転間隔の分布が正常でないと判定された場合（ステップＳ２３０：ＮＯ）、制御部８０は、通帳Ｔにおける磁気ストライプＳを有する面側（裏表紙Ｔ２側）のページ数を変更した第２の読み取り条件を設定する（ステップＳ２３５ｂ）。制御部８０は、搬送部３０を制御して、通帳Ｔをページ捲り部７０に搬送させる。ページ捲り部７０は、通帳Ｔのページを捲り、磁気ストライプＳを有する面側のページ数を増加させる（ステップＳ２３７）。本実施形態において、第２の読み取り条件は、第１の読み取り条件と比べて磁気ストライプＳを有する面側のページ数を増加させているが、ページ数を減少させてもよい。制御部８０は、搬送部３０を制御してステップＳ２１０が実行される前の位置に通帳Ｔを搬送させる。磁気ヘッド４０は、第２の読み取り条件で通帳Ｔの磁気ストライプＳの磁気信号を読み取り（ステップＳ２４０）、磁気データ処理部５０は、第２の磁化反転間隔の分布を検出する（ステップＳ２４５）。
【００５１】
図１５は、磁気ストライプＳを有する面側のページ数を変更した場合の磁化反転間隔の分布を説明する説明図である。図１５（ａ）はページ数を変更する前の磁化反転間隔の分布を示し、図１５（ｂ）は図１５（ａ）と比較してページ数を増加させた場合の磁化反転間隔の分布を示している。磁気ストライプＳを有する面側のページ数を増加させた場合、磁気ストライプＳを有する面側の通帳Ｔの厚さＢが厚くなるので、磁気ヘッド４０の異物Ｆに対する間接的な衝突およびスリップに由来する衝撃は、小さくなる。このように、磁気ストライプＳを有する面側のページ数を増加させると異物Ｆによる影響が低減するため、図１５（ｂ）に示すように、磁化反転間隔の分布における極大部および極小部の大きさＡは、小さくなる。また、図示しないが、磁気ストライプＳを有する面側のページ数を減少させた場合、磁気ヘッド４０の異物Ｆに対する間接的な衝突およびスリップに由来する衝撃は、大きくなる。このように、磁気ストライプＳを有する面側のページ数を減少させると異物Ｆによる影響が増大するため、磁化反転間隔の分布における極大部および極小部の大きさＡは、大きくなる。
【００５２】
他方、通帳Ｔに異物Ｆの挟み込みがなく、磁気ストライプＳの磁気信号の異常に由来して、磁化反転間隔の分布に異常が生じる場合、磁気ストライプＳを有する面側のページ数の変更前後において磁化反転間隔の分布は変化しない。このため、磁化反転間隔の分布の異常原因として、通帳Ｔに異物Ｆが挟み込まれていることと、磁気ストライプＳの磁気信号が異常であることとを区別して特定することができる。すなわち、第１の磁化反転間隔の分布と第２の磁化反転間隔の分布とで、極大部または極小部の大きさＡが互いに異なる場合には、磁化反転間隔の分布の異常原因として、通帳Ｔに異物Ｆが挟み込まれていることを特定できる。また、第１の磁化反転間隔の分布と第２の磁化反転間隔の分布とで、極大部または極小部の大きさＡが実質的に同じ場合には、磁化反転間隔の分布の異常原因として、磁気ストライプＳの磁気信号が異常であることを特定できる。
【００５３】
したがって、上述のステップＳ２５０〜Ｓ２７０が実行されることにより、磁化反転間隔の分布の異常原因が特定される。なお、本実施形態において、磁気ストライプＳを有する面側のページ数は、請求項における厚さ関連条件に相当する。
【００５４】
以上説明した第３実施形態の通帳取扱装置１０は、第１実施形態の通帳取扱装置１０と同様な効果を有する。加えて、第３実施形態における磁化反転間隔の分布の異常原因特定処理では、後述する第４実施形態における磁化反転間隔の分布の異常原因特定処理への移行に要する時間を短縮できる。
【００５５】
Ｄ．第４実施形態：
図１６は、第４実施形態における磁化反転間隔の分布の異常原因特定処理の手順を示すフローチャートである。第４実施形態の磁化反転間隔の分布の異常原因特定処理は、磁化反転間隔の分布の異常原因として、通帳Ｔに異物Ｆが挟み込まれていると特定されても次処理に移行する場合がある点において、図１４に示す第３実施形態の磁化反転間隔の分布の異常原因特定処理と異なる。具体的には、ステップＳ２５５とステップＳ２６０との間において、磁化反転間隔の分布における極大部または極小部の磁化反転間隔の大きさが所定値以下であるか否かを判定するステップＳ２５７が実行される点において、第３実施形態の磁化反転間隔の分布の異常原因特定処理と異なる。第４実施形態の磁化反転間隔の分布の異常原因特定処理におけるその他のステップおよび通帳取扱装置１０の構成は、第３実施形態と同じであるので、同一の構成には同一の符号を付し、それらの詳細な説明を省略する。
【００５６】
上述のように、磁気ストライプＳを有する面側のページ数を増加させると異物Ｆによる影響が低減するため、磁化反転間隔の分布における極大部および極小部の大きさＡは、小さくなる。磁化反転間隔の分布における極大部および極小部の大きさＡが、磁気データの読み取りおよび書き込みに影響を与えない程度に小さければ、通帳Ｔに異物Ｆの挟み込みがあっても、磁気データの読み取りおよび書き込みを正常に実行することができる。
【００５７】
図１６に示すフローにおいて、第１の磁化反転間隔の分布と第２の磁化反転間隔の分布とで、極大部または極小部の磁化反転間隔の大きさが互いに異なると判定された場合（ステップＳ２５０：ＹＥＳ）、原因特定部８４は、磁化反転間隔の分布の異常原因として、通帳Ｔに異物Ｆが挟み込まれていると特定する（ステップＳ２５５）。制御部８０は、第２の磁化反転間隔の分布における極大部および極小部の大きさＡが所定値以下であるか否かを判定する（ステップＳ２５７）。所定値は、磁気データの読み取りおよび書き込みを正常に実行可能な程度の大きさとして、予め実験により求めて設定されており、例えば、異物Ｆの挟み込みがある場合における極大部および極小部の大きさＡの半分の値が設定されてもよい。なお、異物Ｆの挟み込みがある場合における極大部および極小部の大きさＡの半分の値に代えて、他の任意の値に設定してもよい。第２の磁化反転間隔の分布における極大部および極小部の大きさＡが所定値以下でないと判定された場合、（ステップＳ２５７：ＮＯ）、ステップＳ２６０へ進む。他方、第２の磁化反転間隔の分布における極大部および極小部の大きさＡが所定値以下であると判定された場合、（ステップＳ２５７：ＹＥＳ）、制御部８０は、取引を続行させて次処理へ移行させる。なお、このとき、第２の読み取り条件と同様に、磁気ストライプＳを有する面側のページ数を増加させた条件で、磁気信号の書き込みを実行してもよい。また、表示制御部８６は、通帳Ｔに異物Ｆの挟み込みがあった旨を利用者に対し通知する画面を、ＡＴＭ１００の表示部１１０に表示させる。
【００５８】
図１７は、通帳Ｔに異物Ｆの挟み込み等の異常があった旨を利用者に対し通知する画面の例を示す説明図である。利用者は、表示部１１０に表示された通知画面Ｗ２により、通帳Ｔに異物Ｆの挟み込み等があったことを認識できる。これにより、利用者に対して通帳Ｔの異物Ｆの挟み込みに対する注意喚起を行なうことができ、かかる通帳Ｔを用いた次回の取引時における異物Ｆの挟み込みを抑制できる。
【００５９】
以上説明した第４実施形態の通帳取扱装置１０は、第３実施形態の通帳取扱装置１０と同様な効果を有する。加えて、第４実施形態における磁化反転間隔の分布の異常原因特定処理では、第２の磁化反転間隔の分布における極大部および極小部の大きさＡが所定値以下である場合に、取引を続行させて次処理へ移行させる。このため、利用者が異物Ｆの除去等を行って再度取引を行なう手間を低減でき、利用者の利便性の低下を抑制できる。加えて、再度取引を行なう場合と比較して、取引全体に要する時間を短縮することができる。また、通帳Ｔに異物Ｆの挟み込みがあった旨を利用者に通知するので、かかる通帳Ｔを用いた次回の取引時における異物Ｆの挟み込みを抑制できる。
【００６０】
Ｅ．変形例：
なお、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、或る実施形態の構成の一部を他の実施形態の構成に置き換えることが可能であり、また、或る実施形態の構成に他の実施形態の構成を加えることも可能である。また、各実施形態の構成の一部について、他の構成の追加・削除・置換をすることが可能である。
【００６１】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するためのプログラムを解釈し、実行することによりソフトウェアで実現してもよく、装置外部のコンピュータにより実現してもよい。各機能を実現するためのプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【００６２】
また、制御線や情報線は説明上必要と考えられるものを示しており、製品上の制御線や情報線を必ずしも全て示しているとは限らない。実際には殆ど全ての構成が相互に接続されていると考えてもよい。また、本発明には、具体的な以下のような変形例が含まれ得る。
【００６３】
Ｅ−１．変形例１：
各実施形態において、異物Ｆは、通帳Ｔの裏表紙Ｔ２に配置された磁気ストライプＳに対して、磁気ストライプＳの中央部分の一部と重なる位置にあったが、本発明はこれに限定されるものではない。磁気ストライプＳの端の一部と重なる位置に異物Ｆがあってもよく、磁気ストライプＳと重なる位置に複数の異物Ｆがあってもよい。かかる構成によっても、各実施形態と同様に磁化反転間隔の分布の異常原因を特定できる。なお、磁気ストライプＳの全体を覆うように異物Ｆがある場合、磁化反転間隔の分布に異常が生じないため、磁気データの読み取りおよび書き込みは、正常に行なわれる。
【００６４】
Ｅ−２．変形例２：
各実施形態では、通帳Ｔの異物Ｆの挟み込みに対して本発明を適用したが、通帳Ｔの磁気ストライプＳが折れていることおよび通帳Ｔの中紙Ｔ３が折れていること等に対しても、本発明を適用することができる。通帳Ｔの磁気ストライプＳが折れている場合および通帳Ｔの中紙Ｔ３が折れている場合、異物Ｆの挟み込みと同様に搬送抵抗が変化する。このため、各実施形態と同様に磁化反転間隔の分布の異常原因を特定できる。ただし、第２実施形態の磁化反転間隔の分布の異常原因特定処理では、通帳Ｔの磁気ストライプＳが折れていることを検出できない。これは、通帳Ｔの磁気ストライプＳが折れている場合、第２の磁化反転間隔の分布が第１の磁化反転間隔の分布に対して、磁気ストライプＳにおける読み取り位置の中心を中心として対称となるため、磁気ストライプＳの磁気信号の異常と区別できないためである。
【００６５】
Ｅ−３．変形例３：
第４実施形態において、ステップＳ２３５ｂにおける第２の読み取り条件は、第１の読み取り条件に対して磁気ストライプＳを有する面側のページ数を変更していたが、本発明はこれに限定されるものではない。ステップＳ２３５ｂにおける第２の読み取り条件として、読み取り速度を変更してもよく、読み取り方向を変更してもよい。なお、このような構成においては、ステップＳ２５５とステップＳ２５７の間に、ステップＳ２３７〜ステップＳ２４５が実行される必要がある。すなわち、読み取り速度または読み取り方向を変更することにより第２の磁化反転間隔の分布を検出し、その後、磁気ストライプＳを有する面側のページ数を増加させることにより、ステップＳ２５７を実行する。このような構成によっても、第４実施形態の通帳取扱装置１０と同様な効果を有する。
【００６６】
Ｅ−４．変形例４：
各実施形態において、磁気ストライプＳに対する磁気ヘッド４０の相対移動は、搬送ローラ３４による通帳Ｔの搬送により行なわれていたが、本発明はこれに限定されるものではない。通帳Ｔを或る位置に固定配置し、磁気ヘッド４０を搬送することにより、磁気ストライプＳに対する磁気ヘッド４０の相対移動を行なってもよい。この構成では、搬送部３０は、磁気ヘッド４０を移動させるための磁気ヘッド移動部をさらに備える。また、通帳Ｔと磁気ヘッド４０とをいずれも搬送することにより、磁気ストライプＳに対する磁気ヘッド４０の相対移動を行なってもよい。かかる構成によっても、各実施形態の通帳取扱装置１０と同様な効果を有する。また、かかる構成によっては、通帳Ｔの磁気ストライプＳの配置方向に関わらず、磁気データを読み取ることができる。例えば、磁気ストライプＳが通帳Ｔの裏表紙Ｔ２の長手方向の辺と平行に配置されている構成であっても、磁気データを読み取ることができる。すなわち、一般には、搬送部３０は、通帳Ｔと磁気ヘッド４０とのうちの少なくとも一方の搬送を実行し、磁気ストライプＳに対して磁気ヘッド４０を相対移動させてもよい。
【００６７】
Ｅ−５．変形例５：
各実施形態の磁化反転間隔の分布の異常原因特定処理において、磁気ストライプＳの読み取りは２回実行されていたが、本発明はこれに限定されるものではない。読み取り条件を異ならせて、３回以上実行されてもよい。この構成においては、例えば４回読み取りを実行し、第２回目の読み取り結果（磁化反転間隔の分布）と、第４回目の読み取り結果（磁化反転間隔の分布）とを比較してもよい。かかる構成によっても、各実施形態における磁化反転間隔の分布の異常原因特定処理と同様な効果を奏する。すなわち、一般には、搬送部３０は、搬送に関する搬送関連条件と、磁気ヘッド４０が磁気信号を読み取る際の通帳Ｔにおける磁気ストライプＳを有する面側の厚さに関連する厚さ関連条件と、を含む読み取り条件を異ならせて、搬送を少なくとも２回実行し、原因特定部８４は、２回分の搬送時に読み取られた磁気信号に基づき検出された２回分の磁化反転間隔の分布のうちの少なくとも一方が異常である場合に、２回分の磁化反転間隔の分布の比較結果に基づき異常原因を特定してもよい。
【００６８】
Ｅ−６．変形例６：
各実施形態において、表示制御部８６は、磁化反転間隔の分布の異常原因を示す情報や、その原因を取り除くための処理に関する情報をＡＴＭ１００の表示部１１０に表示させていたが、本発明はこれに限定されるものではない。表示部１１０に代えて、または表示部１１０に加えて、ＡＴＭ１００の管理者に通知するための表示部等に、これらの情報を表示させてもよい。
【００６９】
Ｅ−７．変形例７：
図１８は、変形例７としての通帳取扱装置を適用した通帳記帳機の概略構成を示す説明図である。各実施形態では、ＡＴＭ１００に内蔵される通帳取扱装置１０に本発明を適用したが、ＡＴＭ１００に代えて、他の任意の装置に用いられる通帳取扱装置に本発明を適用してもよい。例えば、図１８に示す通帳記帳機６００に内蔵される通帳取扱装置に本発明を適用してもよい。通帳記帳機６００は、通帳Ｔへの記帳に用いられる機器であり、金融機関の窓口等で利用される。通帳記帳機６００は、通帳Ｔを挿入する通帳挿入部６１０を備える。通帳記帳機６００の操作は、通帳記帳機６００と接続された制御装置６２０を介して行なわれる。制御装置６２０は、表示部６２２を備える。変形例５において、表示部６２２は請求項における表示部に相当する。
【符号の説明】
【００７０】
１０…通帳取扱装置
２０…検知部
３０…搬送部
３２…搬送路
３４…搬送ローラ
４０…磁気ヘッド部
５０…磁気データ処理部
５２…アンプ
５４…波形整形回路
５６…データ読取回路
６０…印字部
６２…印字ヘッド
７０…ページ捲り部
７２…ローラ
８０…制御部
８２…正常性判定部
８４…原因特定部
８６…表示制御部
９０…通信部
１１０…表示部
１２０…紙幣入出金口
１２５…紙幣処理部
１３０…硬貨入出金口
１３５…硬貨処理部
１４０…カード入出口
１４５…カード処理部
１５０…通帳入出口
１６０…主制御部
６００…通帳記帳機
６１０…通帳挿入部
６２０…制御装置
６２２…表示部
Ａ…極大部および極小部の大きさ
Ｂ…厚み
Ｂ１…極大部
Ｄ１…挿入方向
Ｄ２…排出方向
Ｆ…異物
Ｓ…磁気ストライプ
Ｓ１…極小部
Ｔ…通帳
Ｔ１…表表紙
Ｔ２…裏表紙
Ｔ３…中紙
Ｗ１…通知画面
Ｗ２…通知画面
【図１】
2016131051.tif 000003
【図２】
2016131051.tif 000004
【図３】
2016131051.tif 000005
【図４】
2016131051.tif 000006
【図５】
2016131051.tif 000007
【図６】
2016131051.tif 000008
【図７】
2016131051.tif 000009
【図８】
2016131051.tif 000010
【図９】
2016131051.tif 000011
【図１０】
2016131051.tif 000012
【図１１】
2016131051.tif 000013
【図１２】
2016131051.tif 000014
【図１３】
2016131051.tif 000015
【図１４】
2016131051.tif 000016
【図１５】
2016131051.tif 000017
【図１６】
2016131051.tif 000018
【図１７】
2016131051.tif 000019
【図１８】
2016131051.tif 000020